(57)【特許請求の範囲】
【請求項１】
操舵用の前輪（１０，１０’）と推進用の後輪（１１、１１’）とを備える走行車体（１）を設け、種子タンク（５）内の種子を繰出装置（６）で移送管（７）へ繰り出し、起風翼車（８）によって起風された圧縮空気が貯留されるエアチャンバ（９）から吹き込まれてくる圧風によって種子が前記移送管（７）内で搬送されて播種管（２ａ，２ｂ）へ達する構成とし、前記播種管（２ａ，２ｂ）により走行車体（１）の前進に伴って圃場面に８条に播種する播種機において、前記播種管（２ａ，２ｂ）を表土を均しながら滑動するフロート（２４）に取り付け、前記播種管（２ａ，２ｂ）の後方に角度変更可能な覆土板（２５）を各々設けると共に、圃場面に溝を形成する作溝器（３）を走行車体（１）の後輪（１１、１１’）の後方で且つ前記フロート（２４）の間に位置にさせて機枠（２８）に着脱可能に設け、前記作溝器（３）を取り外してその取り外した部分の機枠（２８）にレーキ（３５）を取り付けできる構成とした播種機。
【発明の詳細な説明】
【０００１】
【発明の属する技術分野】
本発明は、播種機に関するもので、農業機械の技術分野に属する。
【０００２】
【従来の技術】
水稲の湛水直播栽培に使用する播種機は、種子タンク内の種子を繰り出す繰出装置が設けられ、その繰出装置に複数の移送管と播種管とを連通して構成されている。そして、播種機は、繰出装置から繰り出された種子を、エアチャンバ−から吹き出してくる圧縮空気によって、前記移送管内を播種管まで空気搬送し、圃場面に播種する構成としている。
【０００３】
【発明が解決しようとする課題】
従来、湛水直播による水稲の栽培は、播種後そのまま水を溜めて発芽、育苗するのが慣行であった。この育苗方法は、湛水の保温効果によって、寒さに弱い幼苗を寒さから護り、健苗として育苗することができると知られていた。
ところが、近年、播種後落水して土壌を酸化状態におく方が、出芽、育苗により効果的であることが発表されている。試験結果によると、播種後の土壌は、亀裂が入るくらい強く乾かした方が、成育後の倒伏防止や、鳥害を少なくすることに役立つと発表されている。
【０００４】
しかしながら、従来の播種機は、湛水直播しか考慮しておらず、播種後の圃場から迅速に排水（落水）や湛水を繰り返すことは困難で、排水や湛水に長時間要する課題があった。
【０００５】
【課題を解決するための手段】
本発明は、上述した課題を解決するために、次の如き技術手段を講ずるものである。すなわち、操舵用の前輪（１０，１０’）と推進用の後輪（１１、１１’）とを備える走行車体（１）を設け、種子タンク（５）内の種子を繰出装置（６）で移送管（７）へ繰り出し、起風翼車（８）によって起風された圧縮空気が貯留されるエアチャンバ（９）から吹き込まれてくる圧風によって種子が前記移送管（７）内で搬送されて播種管（２ａ，２ｂ）へ達する構成とし、前記播種管（２ａ，２ｂ）により走行車体（１）の前進に伴って圃場面に８条に播種する播種機において、前記播種管（２ａ，２ｂ）を表土を均しながら滑動するフロート（２４）に取り付け、前記播種管（２ａ，２ｂ）の後方に角度変更可能な覆土板（２５）を各々設けると共に、圃場面に溝を形成する作溝器（３）を走行車体（１）の後輪（１１、１１’）の後方で且つ前記フロート（２４）の間に位置にさせて機枠（２８）に着脱可能に設け、前記作溝器（３）を取り外してその取り外した部分の機枠（２８）にレーキ（３５）を取り付けできる構成とした播種機としたものである。
【０００６】
【発明の効果】
本発明は、以上のように構成されているから、排水性の悪い圃場では、作溝器（３）を取り付けて播種作業を行うことにより、前記作溝器（３）が後輪（１１、１１’）の通過跡に排水溝を作溝するため比較的小さい土壌抵抗で作溝でき、圃場面には、播種作業に伴って播種条の側方に沿わせて溝（排水溝）を同時に形成することができる。したがって、播種後の排水や湛水をきわめて容易に行なうことが可能であり、しかも、短時間に行なうことができる効果を有する。また、排水性の良い圃場では、作溝器（３）を取り外してその取り外した部分の機枠（２８）にレーキ（３５）を取り付けて播種作業を行うことにより、前進に伴って後輪（１１、１１’）の車輪跡を均平に均し、圃場の均平精度を高めることができる。
【０００７】
【発明の実施の形態】
以下、本発明の実施の形態を説明する。
まず、播種機は、図２乃至図５に示すように、種子タンク５、繰出装置６、移送管７、播種管２ａ、２ｂ、その他、起風翼車８やエアチャンバ９等の付属装置から構成し、走行車体１の後部に装着して湛水直播機としている。
【０００８】
そして、走行車体１は、操舵用の前輪１０、１０’と推進用の後輪１１、１１’とを設け、中央のエンジンル−ム１２上に操縦座席１３を配置して設け、水田の耕盤上を回転しながら走行できる構成としている。そして、昇降リンク１４は、上下一対の平行リンクからなり、前部が前記走行車体１の後部機枠１５に枢着連結し、後部に連結用のヒッチ１６を取り付け、車体１側の油圧シリンダ１７によって昇降する構成としている。そして、前記ヒッチ１６には、以下具体的に説明する播種機を取り付けて支持し、上下昇降自由に構成している。
【０００９】
つぎに、播種機の構成を、図面に基づいて具体的に述べる。
まず、繰出装置６は、図４および図５に示すように、外周に多数の種子溝１８を形成した繰り出しロ−ル１９を種子タンク５の下側に臨ませて伝動可能に軸架して設け、その下方には種子を搬送する移送管７の始端部を臨ませて設けた構成としている。なお、種子溝１８は、図５に示すように、側部の調節具２０を回転調節輪２１の回転調節操作によって軸に沿わせて左右に摺動し、種子の貯留容積を大小調節できる構成としている。２２は入力スプロケットである。
【００１０】
そして、ブラシ２３は、前記した繰り出しロ−ル１９の表面に接触して均す働きをして、種子溝１８の種子量を均一にするために設けている。
そして、種子タンク５は、図２および図３に示すように、走行車体１の後部に連結した播種機の構成部材の一つとして搭載している。
つぎに、エアチャンバ９は、図４および図５に示すように、円筒形状で前記繰出装置６の下側の後に横向きに配置して設け、一端に起風翼車８を連結し、他端を蓋で密封して起風された空気を貯留できる構成としている。そして、移送管７は、その搬送始端部を開口して前記エアチャンバ９に連通して設け、高圧状態で貯留した空気（送風）が送り込まれ、前述のように上方から供給されてくる所定量の種子を空気搬送するように構成している。
【００１１】
このようにして、移送管７は、その始端部をエアチャンバ９に連通し、終端部側を圃場面に近い側に向けて延長し、播種位置に設けている播種管２ａ、２ｂにそれぞれ連通して構成している。そして、播種管２ａ、２ｂは、接地面に設けて表土を均しながら滑動するフロ−ト２４に取り付け、前進に伴って整地された圃場面に噴出、播種する構成としている。
【００１２】
そして、覆土板２５は、図１に示すように、前述した播種管２ａ、２ｂを設けている播種条の後方にそれぞれ配置して設け、連杆２６と操作ワイヤ−２７とを介して覆土可能角度と覆土しない角度とに変更調節できる構成としている。
つぎに、作溝器３は、図１に示すように、前記フロ−ト２４の間に位置させて前側上方に横向きに設けている機枠２８に取り付けて設け、走行車体１の前進に伴って圃場面に排水溝を形成するように構成している。そして、作溝器３は、図１に示す実施例の場合、後輪１１、１１’の通過した車輪跡を追うように進行して排水溝を形成する関係位置に構成している。
【００１３】
そして、作溝器３と前記播種管２とは、これらが通過した後に、播種条の側方に沿わせて略平行に排水溝を形成する関係位置に配置して構成すれば良く、取付け位置の前後関係は自由に選択すれば良い。
なお、図３において、２９は肥料タンク、３０は肥料移送管、３１は施肥管を示す。
【００１４】
このように構成した播種機を、整地作業が終わって湛水状態にした圃場に入れて肥料タンク２９に肥料を充填し、種子タンク５には種子を充填して前進させて播種作業を開始する。
すると、種子タンク５内の種子は、図４に示すように、下方の回転している繰り出しロ−ル１９に達し、繰り出しロ−ル１９の外周の種子溝１８にそれぞれ供給されて溜り回転方向に送られる。そのとき、種子溝１８内の種子は、回転下手側にあるブラシ２３に達して表面が均平に均されて定量となり、繰り出しロ−ル１９の回転に伴って下方の移送管７の搬送始端部に落下する。そのとき、エアチャンバ９は、起風翼車８によって起風された圧縮空気が貯留されており、連通している各移送管７に流入することになる。
【００１５】
このようにして、種子は、エアチャンバ９から吹き込まれてくる圧風によって移送管７内を空気搬送されて先端側の播種管２ａ、２ｂに達し、フロ−ト２４によって整地された後の圃場に噴出、播種される。そして、覆土板２５は、進行方向に対して所定の角度を保ち表土を掻き寄せ、種子が播かれている播種溝の上に覆土を行い、播種作業を完了する。
【００１６】
このようにして播種機は、走行車体１の前進に伴って湛水した圃場面に播種作業を行なうが、同時に、機枠２８に取り付けられている作溝器３が、播種管２によって播種される播種条の側方に沿って略平行状に排水溝を作溝しながら前進している。この場合、作溝器３は、後輪１１、１１’の通過した跡上を前進しながら排水溝を作溝していくから比較的土壌抵抗が小さく、少ない消費馬力によって作溝することができる。
【００１７】
以上述べたように、播種機によって播種作業と同時に作溝した溝は、一端部を圃場における水の取入れ口に、他端部を圃場の排水口にそれぞれ鍬等で溝切りをして水が流れ易いように接続し、入水、排水が容易にできるように事後処理を行なうことが肝要である。一般的に、水田は、土壌表面を充分均平に均すことが最低の必要条件であるが、広い圃場では部分的に低い場所ができて水が停滞することがあり、その場所では苗立ち不良になるおそれがある。
【００１８】
また、圃場は、土壌表面の均平精度が高くなればなるほど、水の移動が遅くなる傾向があり、湛水や排水に時間がかかることが経験上知られている。
このように、本発明は、実施例で説明したように構成することによって、播種と同時に溝を作溝して排水、入水を迅速に行なうことができる特有の効果を有するものである。
【００１９】
そもそも圃場に水を溜める理由は、水の保温効果を利用して幼苗を寒さから護るためであるが、種子は、寒さに強く、播種から発芽までの期間は水による保温の必要性がないことが解っている。むしろ、播種後の圃場は、排水によって土壌に亀裂が入るくらいまで乾かして酸化の状態にする方が、発芽とその後の生育に良いといわれている。そして、圃場は、発芽が完了して育苗の行程に移ると、幼苗を寒さから護るために湛水が必要になり、水を溜めて保温効果を期待することになる。
【００２０】
以上のような播種、発芽、育苗の過程において、本発明は、圃場の排水と湛水とを繰り返すとき、播種と同時に作溝した排水溝が効果を発揮し、水の移動を助けて迅速に排水、湛水を行なうことができる。
【００２１】
別実施例１
つぎに、別実施例１を図６に基づいて説明する。
図６に示す別実施例１は、作溝器３に代えてレ−キ３５を着脱自由に取り付けて構成したものである。すなわち、別実施例１は、作溝器３とレ−キ３５とを圃場の水はけ状態に応じて選択して機枠２８に付替えながら播種作業を行なうことができる構成としたものである。
【００２２】
このように、別実施例１は、排水性の良い圃場では、図６に示すように、作溝器３を取り外してその部分の機枠２８にレ−キ３５を取り付けて播種作業を行なう。すると、レ−キ３５は、前進に伴って後輪１１、１１’の車輪跡を均平に均しながら消して圃場の均平精度を高めることができる。また、排水性の悪い圃場では、作溝器３に付替えて（図１参照）播種作業を行なうことによって排水溝を形成し、排水、湛水に際して水の移動を迅速に行なうことができる。
【００２３】
別実施例２
つぎに、別実施例２を図７乃至図９に基づいて説明する。
別実施例２は、灌水直播に使用する８条播種機の条止めに関する構成である。
従来から広く知られているように、多条播きの播種機は、田植機と同様に播種行程の最終播種条の一つ前で条止めを行い、最終行程に全条（別実施例２は８条）播種ができるように作業することを慣行としている。
【００２４】
まず、クラッチレバ−４０は、種子の繰り出しロ−ル１９（図４参照）のクラッチ装置４１を断続操作するシフタ−４２に操作ワイヤ−４３によって連結し、動力の断続操作ができる構成としている。そして、クラッチレバ−４０は、操作ワイヤ−４４を連杆２６に連結して、覆土板２５の角度を変更可能に連結して構成している。そして、クラッチレバ−４０は、繰り出しロ−ル１９のクラッチ装置４１を切り操作すると、その播種管２ａ、２ｂの後方にある覆土板２５が連動されて回動し、覆土ができない角度に変更調節される構成としている。
【００２５】
そして、クラッチレバ−４０は、図７において、実線に位置がクラッチ装置４１が伝動状態にあり、覆土板２５が、図９の実線の位置にあって覆土作用ができる位置にある。つぎに、クラッチレバ−４０は、図７において、仮想線に位置に操作すると、クラッチ装置４１が切り位置となって繰り出しロ−ル１９が停止し、覆土板２５が、図９の仮想線の位置に調節され覆土作用ができない位置になる。
【００２５】
別実施例２は、上述のように条止めを行なうと、図９に示すように、本来８条播きの播種機が６条の播種となる。このようにして播種機は、条止め作業を行なうとき、播種した条と播種しない条との区別が、一方は覆土がされた状態になり、他方は播種管２ａ、２ｂによる播種溝が圃場表面に残る（播種はされていない）ことによりオペレ−タが視覚によって区別し易くなる特徴がある。
【図面の簡単な説明】
【図１】本発明の実施例であって、平面図である。
【図２】本発明の実施例であって、平面図である。
【図３】本発明の実施例であって、側面図である。
【図４】本発明の実施例であって、切断側面図である。
【図５】本発明の実施例であって、切断背面図である。
【図６】本発明の別実施例１であって、平面図である。
【図７】本発明の別実施例２であって、作用側面図である。
【図８】本発明の別実施例２であって、背面図である。
【図９】本発明の別実施例２であって、作用平面図である。
【符号の説明】
１：走行車体、２ａ，２ｂ：播種管、３：作溝器、５：種子タンク、６：繰出装置、７：移送管、８：起風翼車、９：エアチャンバ、１０，１０’：前輪、１１，１１’：後輪、２４：フロート、２５：覆土板、２８：機枠、３５：レーキ。
【図１】
0003797012.tif 000002
【図２】
0003797012.tif 000003
【図３】
0003797012.tif 000004
【図４】
0003797012.tif 000005
【図５】
0003797012.tif 000006
【図６】
0003797012.tif 000007
【図７】
0003797012.tif 000008
【図８】
0003797012.tif 000009
【図９】
0003797012.tif 000010